(57)【要約】【課題】バルコニーの周壁構造において、金属パネルを用いた構造を簡単化し、製造コストを抑制する。【解決手段】バルコニー１００の周壁を、上下方向に延びた複数の手摺柱５０，６０，７０間に架け渡された複数の周壁パネルにより形成し、手摺柱６０の周面のうちバルコニー１００の外方側の周面に外壁パネル２０が取付けられ、外壁パネル２０と同一の手摺柱６０のバルコニー１００の内方側の周面に内壁パネル３０が取付けられるとともに、内壁パネル３０が取り付けられた周面に、内壁パネル３０と隣接してパンチングメタルパネル４０が取り付けられ、かつ、内壁パネル３０とパンチングメタルパネル４０との板厚差が５ｍｍ以下に設定されている。【選択図】          図１
2004346581.tif 000002
【特許請求の範囲】
【請求項１】
バルコニーの周壁を、上下方向に延びた複数の支柱間に架け渡された複数の周壁パネルにより形成してなるバルコニーの周壁構造において、
前記周壁パネルのうち一部は、前記支柱の周面のうち前記バルコニーの外方側の周面に取り付けられた外壁パネルおよび該外壁パネルと同一の支柱の前記バルコニーの内方側の周面に取り付けられた内壁パネルからなるとともに、前記周壁パネルのうち他の一部は金属パネルからなり、
前記金属パネルは、前記内壁パネルが取り付けられた前記周面に、該内壁パネルと隣接して取り付けられ、かつ、前記内壁パネルと前記金属パネルとは、板厚差が５ｍｍ以下であることを特徴とするバルコニーの周壁構造。
【請求項２】
前記内壁パネルが、アルミニウム樹脂複合板であることを特徴とする請求項１に記載のバルコニーの周壁構造。
【請求項３】
前記内壁パネルの縁部と前記金属パネル縁部との間の目地および前記両縁部を、前記バルコニーの内方側から、カバー部材によって覆ってなることを特徴とする請求項１または２に記載のバルコニーの周壁構造。
【請求項４】
前記金属パネルは、板面に多数の貫通孔が形成されたパンチングメタルパネルであることを特徴とする請求項１から３のうちいずれか１項に記載のバルコニーの周壁構造。
【発明の詳細な説明】
【０００１】
【発明の属する技術分野】
本発明は、バルコニーの周壁構造に関するものである。
【０００２】
【従来の技術】
従来より、バルコニーの周壁の一部または全部に、多数の貫通孔が形成されたパンチングメタルパネルを用いた構造が知られている（特許文献１）。
【０００３】
このパンチングメタルパネルによる周壁パネルは、その多数の貫通孔によって、バルコニーの内方側に対する通風性や採光性を確保することができる。
【０００４】
【特許文献１】
特開平８−３３８０６７号公報
【０００５】
【発明が解決しようとする課題】
ところで、パンチングメタルパネルは金属パネルであるのに対して、上述した技術における内壁パネルは、外壁パネルと同一のものをそのまま用いているため、パンチングメタルに対して、その厚さは、非常に厚いものとなっている。このため、バルコニー内方側における内壁パネルとパンチングメタルパネルとの段差は、両者の板厚の差に応じて大きくならざるを得ない。
【０００６】
そこで、上記文献によるものは、バルコニー内方側の表面において、両者の表面が略面一となるように段差を解消させる構造を採用している。具体的には、パンチングメタルパネルの外周縁に、内壁パネルとの板厚差を吸収させるフレームを設け、このフレームを介してパンチングメタルを支柱に取り付けるという複雑な構造が採用されている。そして、このような複雑な構造は、製造コストの高騰を招いている。
【０００７】
さらに、上述した文献記載の構造においては、内壁パネルおよび外壁パネルは同一素材によって構成されているが、バルコニーの周壁は、このバルコニーが設置される建物の外壁のように、高度の防火性や遮音性は要求されないため、内壁パネルを外壁パネルと同一に構成する必要はなく、むしろ過剰品質であって、この点においても製造コスト高騰を招来することになる。
【０００８】
本発明は上記事情に鑑みなされたものであり、金属パネルを用いた構造においても、その構造を簡単化し、製造コストを抑制することができるバルコニーの周壁構造を提供することを目的とするものである。
【０００９】
【課題を解決するための手段】
上記課題を解決するため、本発明の請求項１に係るバルコニーの周壁構造は、バルコニーの周壁を、上下方向に延びた複数の支柱間に架け渡された複数の周壁パネルにより形成してなるバルコニーの周壁構造において、前記周壁パネルのうち一部は、前記支柱の周面のうち前記バルコニーの外方側の周面に取り付けられた外壁パネルおよび該外壁パネルと同一の支柱の前記バルコニーの内方側の周面に取り付けられた内壁パネルからなるとともに、前記周壁パネルのうち他の一部は金属パネルからなり、前記金属パネルは、前記内壁パネルが取り付けられた前記周面に、該内壁パネルと隣接して取り付けられ、かつ、前記内壁パネルと前記金属パネルとは、板厚差が５ｍｍ以下であることを特徴とする。
【００１０】
ここで、支柱は、バルコニーの床構造に対して周壁を支持する強度面においては、バルコニーの床構造に直接立設されたものとするのが好ましいが、本発明においては、単に隣接する複数の周壁パネルを繋ぐ目的で設けられたものであってもよく、この場合には、必ずしも床構造に対して直接立設されたものである必要はない。
【００１１】
また、「外壁パネルと同一の支柱の前記バルコニーの内方側の周面に取り付けられた内壁パネル」とは、外壁パネルと内壁パネルとが、支柱に対して表裏の位置関係にあることを意味する。
【００１２】
外壁パネルは、バルコニーの外方側に向くため、このバルコニーが設けられる建物の外壁と同様の化粧板やセメント板によって形成されることが、外観の統一感や質感の観点から好ましい。
【００１３】
「金属パネルが内壁パネルと隣接して取り付けられ」とは、金属パネルの側縁と内壁パネルの側縁とが、当接して取り付けられていることに限るものではなく、両側縁が所定の空隙を介して、すなわち両側縁間に目地が形成されて取り付けられることも含む意味である。
【００１４】
なお、金属パネルは内壁パネルよりも板厚が薄いのが一般的であるため、内壁パネルと金属パネルとの板厚差が５ｍｍ以下とは、通常は、金属パネルとの板厚差が５ｍｍ以下となるような板厚の薄い内壁パネルを用いることになる。
【００１５】
このように構成された本発明の請求項１に係るバルコニーの周壁構造によれば、金属パネルが、外壁パネルおよび内壁パネルが取り付けられる支柱に直接取り付けられるため、金属パネルの取付構造を単純化することができ、金属パネルの外周縁を、追加的に設けられた別個のフレームによって支持する等従来のように複雑な構造を採用する必要がなく、製造コストを抑制することができる。
【００１６】
また、内壁パネルおよび金属パネルは、いずれも支柱の周面のうちバルコニーの内方側の周面に取り付けられるため、両パネルの板厚差は、そのままバルコニーの内方側への突出段差となるが、内壁パネルと金属パネルとの板厚差が５ｍｍ以下であることによって、内壁パネルと金属パネルとの段差は、視覚上問題とならない５ｍｍ以下となり、従来のように視覚上問題となるような大きな段差を解消するために、複雑な構造を採用する必要がない。
【００１７】
そして、この５ｍｍ以下の段差は、段差に基づく陰影によって立体的な造形感を醸し出すため、むしろ意匠性を向上させることができる。
【００１８】
さらに、外壁パネルは、支柱の内外幅分だけ、金属パネルよりも外方に突出するため、外観上、この金属パネルとの対比によって、外壁パネルの厚み感を与えることができ、重厚感を演出することができる。
【００１９】
また、本発明の請求項２に係るバルコニーの周壁構造は、請求項１に係るバルコニーの周壁構造において、前記内壁パネルが、アルミニウム樹脂複合板であることを特徴とする。
【００２０】
ここで、アルミニウム樹脂複合板とは、板状の樹脂の表裏にそれぞれアルミニウム板が積層された構造の板状体を意味する。
【００２１】
このように構成された本発明の請求項２に係るバルコニーの周壁構造によれば、バルコニーの内方側に配置されるため触れる機会が多い内壁パネルが、アルミニウム樹脂複合板であるため、単一の金属素材からなる内壁パネルよりも、打診等したときに発せられる音が低音となり、高級感を演出することができる。
【００２２】
また、本発明の請求項３に係るバルコニーの周壁構造は、請求項１または２に係るバルコニーの周壁構造において、前記内壁パネルの縁部と前記金属パネル縁部との間の目地および前記両縁部を、前記バルコニーの内方側から、カバー部材によって覆ってなることを特徴とする。
【００２３】
このように構成された本発明の請求項３に係るバルコニーの周壁構造によれば、５ｍｍ以下の段差を形成している内壁パネルの縁部および金属パネル縁部と、これら両縁部の間に形成された目地がカバー部材によって覆われるため、外観上は両縁部の段差をさらに目立たなくすることができるとともに、両縁部間の隙間（目地）も目立たなくすることができる。
【００２４】
また、本発明の請求項４に係るバルコニーの周壁構造は、請求項１から３のうちいずれか１項に係るバルコニーの周壁構造において、前記金属パネルは、板面に多数の貫通孔が形成されたパンチングメタルパネルであることを特徴とする。
【００２５】
このように構成された本発明の請求項４に係るバルコニーの周壁構造によれば、金属パネルとしてパンチングメタルパネルが配設されているため、バルコニーの通風性を確保することができるとともに、重厚感のある外壁パネルとの対比によって、装飾性を向上させることができる。
【００２６】
【発明の実施の形態】
以下、本発明に係るバルコニーの周壁構造についての具体的な実施の形態を、図面を参照して説明する。
【００２７】
図１は、所定の建物２００に、本発明の一実施形態に係るバルコニー１００の周壁構造が適用された様子を示す外観図であり、図２は図１におけるＡ−Ａ線断面およびＢ−Ｂ線断面をそれぞれ示す断面図であり、図３は図１におけるＣ−Ｃ線断面、Ｄ−Ｄ線断面およびＥ−Ｅ線断面をそれぞれ示す断面図である。
【００２８】
図示のバルコニー１００は、建物２００の外壁に設けられ、その周壁を構成する外壁パネル２０、内壁パネル３０およびパンチングメタルパネル４０が、図２および図３に示すように、上下方向に延びた複数の手摺柱（支柱）５０，６０，７０に架け渡されて取り付けられ、これらの周壁の上方には、周壁の上端面を覆う笠木８０が設けられている。
【００２９】
ここで、各手摺柱５０，６０，７０はそれぞれ、図２（ａ），（ｂ）に示すように、バルコニー１００の床面を形成する床板１０の下面に締結された断面コ字形状の床フレーム１１の縦壁に締結されて固定されている。
【００３０】
また、外壁パネル２０は、セメント板であるところの基板２２と、この基板２２に貼付されてバルコニー１００の外方側に向いたタイル板２１とからなり、このタイル板２１は、建物２００の外壁に用いられているタイル板（図示せず）と同様の外観を呈するように、色彩、配列が統一され、建物２００全体の外観の統一感を演出している。
【００３１】
外壁パネル２０の基板２２の裏面側（バルコニー１００の内方側に向いた面）には、図３（ａ）または（ｂ）に示すようにフレーム２３が取り付けられており、このフレーム２３が、緩衝材（例えば、ソフトロン（登録商標）等）２４を介して、手摺柱５０または６０の周面のうちバルコニー１００の外方側の面に締結されることによって、外壁パネル２０は手摺柱５０，６０に取り付けられている。
【００３２】
なお、一つの手摺柱５０には、図３（ａ）に示すように２つの外壁パネル２０，２０が並んで取り付けられており、両外壁パネル２０，２０の間の隙間には、ガスケット２５が嵌挿されている。
【００３３】
また、外壁パネル２０が取り付けられた手摺柱５０の周面のうち、バルコニー１００の内方側の面には、各外壁パネルと背中合わせとなるように内壁パネル３０が取り付けられている。
【００３４】
この内壁パネル３０の取付けは、同一の手摺柱５０に並んで取り付けられる他の内壁パネル３０に跨って、両内壁パネル３０，３０の側縁部を押さえるとともに、両内壁パネル３０，３０間の隙間である目地を覆う断面略弓字状の目地材（カバー部材）３５が手摺柱５０に締結されることによってなされている。
【００３５】
ここで、目地材３５の凹部には、ＥＰＤＭ（Ｅｔｈｙｌｅｎｅ  Ｐｒｏｐｙｌｅｎｅ  Ｄｉｅｎｅ  Ｔｅｒｐｏｌｅｙｍｅｒ）発泡体３６が設けられており、このＥＰＤＭ発泡体３６の変形に基づく復原力によって、内壁パネル３０，３０の縁部を手摺柱５０に押圧している。
【００３６】
なお、これら内壁パネル３０，３０は、アルミニウム樹脂複合板によって形成されており、その板厚ｔ２は、外壁パネル２０に対して相当程度薄いものであって、パンチングメタルパネル４０の板厚ｔ１に対して、板厚差Δｔ（＝ｔ２−ｔ１）が５ｍｍ以下に形成されている。
【００３７】
また、周壁のうち、外壁パネル２０とパンチングメタルパネル４０とが切り替えられる手摺柱６０においては、図３（ｂ）に示すように、手摺柱６０の周面のうち、中央よりも一方の側にのみ外壁パネル２０および内壁パネル３０が取り付けられ、他方の側には、内壁パネル３０と隣接してパンチングメタルパネル４０が取り付けられる。
【００３８】
そして、このパンチングメタルパネル４０と、隣接する内壁パネル２０との取付けも、上述した２つの内壁パネル３０，３０の取付けと同様に、目地材３５が手摺柱６０に締結されることによってなされている。
【００３９】
なお、２つのパンチングメタルパネル４０，４０が並んで配置されている部分においては、図３（ｃ）に示すように、２つのパンチングメタルパネル４０，４０が並んで、手摺柱７０に、リベット４２によって締結固定されている。
【００４０】
このように構成された本実施形態に係るバルコニー１００の周壁構造によると、パンチングメタルパネル４０が、外壁パネル２０および内壁パネル３０が取り付けられた手摺柱６０に直接取り付けられるため、パンチングメタルパネル４０の取付構造を単純化することができ、パンチングメタルパネル４０の外周縁を追加的に設けられた別個のフレームによって支持する等従来のように複雑な構造を採る必要がなく、製造コストを抑制することができる。
【００４１】
また、内壁パネル３０およびパンチングメタルパネル４０は、いずれも手摺柱６０の周面のうちバルコニー１００の内方側の周面に取り付けられるため、両パネル３０，４０の板厚差Δｔは、そのままバルコニー１００の内方側への突出段差となるが、内壁パネル３０とパンチングメタルパネル４０との板厚差Δｔが５ｍｍ以下であるため、内壁パネル３０とパンチングメタルパネル４０との段差は、視覚上問題とならない５ｍｍ以下となり、従来のように視覚上問題となるような大きな段差を解消するために、複雑な構造を採用する必要がない。
【００４２】
しかも、この５ｍｍ以下の段差も、内壁パネル３０の側縁部およびパンチングメタルパネル４０の側縁部を押さえる目地材３５によって覆われるため、外観上は両パネル３０，４０の段差をさらに目立たなくすることができる。
【００４３】
また、この目地材３５は、両パネル３０，４０の側縁部間に形成された目地６１をも覆うため、目地６１が露出しているものよりも外観品質を向上させることができる。
【００４４】
なお、目地材３５が設けられていない構造にあっても、両パネル３０，４０間の５ｍｍ以下の段差は、この段差に基づく陰影によって立体的な造形感を醸し出すため、むしろ意匠性を向上させることもできる。
【００４５】
一方、バルコニー１００の外方側からの外観によれば、外壁パネル２０は、手摺柱６０の内外幅分だけ、パンチングメタルパネル４０よりも外方に突出するため、このパンチングメタルパネル４０との対比によって、外壁パネル２０の厚み感を与えることができ、重厚感を演出することができる。
【００４６】
また、バルコニー１００の内方側に配置されるため、外壁パネル２０よりも使用者が触れる機会が多い内壁パネル３０が、アルミニウム樹脂複合板であるため、単一の金属素材からなるものよりも、打診等したときに発せられる音が低音となり、高級感を演出することができる。
【００４７】
なお、外壁パネル２０と組み合わせて周壁を構成するパンチングメタルパネル４０は、貫通孔４１が多数形成されているため、バルコニー１００の通風性を確保することができるとともに、重厚感のある外壁パネル２０との対比によって、外観上の装飾性を向上させることができる。
【００４８】
【発明の効果】
以上説明したように、本発明に係るバルコニーの周壁構造によれば、金属パネルが、外壁パネルおよび内壁パネルが取り付けられる支柱に直接取り付けられるため、金属パネルの取付構造を単純化することができ、金属パネルの外周縁を、追加的に設けられた別個のフレームによって支持する等従来のように複雑な構造を採用する必要がなく、製造コストを抑制することができる。
【００４９】
また、内壁パネルおよび金属パネルは、いずれも支柱の周面のうちバルコニーの内方側の周面に取り付けられるため、両パネルの板厚差は、そのままバルコニーの内方側への突出段差となるが、内壁パネルと金属パネルとの板厚差が５ｍｍ以下であることによって、内壁パネルと金属パネルとの段差は、視覚上問題とならない５ｍｍ以下となり、従来のように視覚上問題となるような大きな段差を解消するために、複雑な構造を採用する必要がない。
【００５０】
そして、この５ｍｍ以下の段差は、段差に基づく陰影によって立体的な造形感を醸し出すため、むしろ意匠性を向上させることができる。
【００５１】
さらに、外壁パネルは、支柱の内外幅分だけ、金属パネルよりも外方に突出するため、外観上、この金属パネルとの対比によって、外壁パネルの厚み感を与えることができ、重厚感を演出することができる。
【図面の簡単な説明】
【図１】本発明の一実施形態に係るバルコニーの周壁構造を示す外観図である。
【図２】（ａ）は図１におけるＡ−Ａ線断面図、（ｂ）は図１におけるＢ−Ｂ線断面図をそれぞれ表す。
【図３】（ａ）は図１におけるＣ−Ｃ線断面図、（ｂ）は図１におけるＤ−Ｄ線断面図、（ｃ）は図１におけるＥ−Ｅ線断面図をそれぞれ表す。
【符号の説明】
１０  床板
２０  外壁パネル
２１  タイル板
２２  基板（セメント板）
２３  フレーム
２４  緩衝材
２５  ガスケット
３０  内壁パネル
３５  目地材（カバー部材）
３６  ＥＰＤＭ発泡体
４０  パンチングメタルパネル
５０，６０，７０  手摺柱
５１，６１  目地
８０  笠木
８５  下枠
１００  バルコニー
２００  建物
【図１】
2004346581.tif 000003
【図２】
2004346581.tif 000004
【図３】
2004346581.tif 000005